(57)【特許請求の範囲】
【請求項１】
複数の記憶媒体をそれぞれ支持する複数の支持部を有し、該支持部に支持された状態で複数の記憶媒体を収納する記憶媒体収納部と、該記憶媒体収納部に収納された複数の記憶媒体の中から指定された記憶媒体を所定の再生位置に移動させる移動手段と、前記再生位置に移動させられた記憶媒体に記憶されたデータを再生する再生手段とを備える記憶媒体チェンジャー装置であって、
所定の操作に基づいて、優先的に再生される記憶媒体の支持部のアドレスを検出する優先位置検出手段と、
前記優先位置検出手段で検出された前記支持部のアドレスを記憶するメモリ手段と、
前記メモリ手段に記憶されたアドレスに基づいて再生制御を行う制御手段と、
前記記憶媒体収納部の支持部に対して着脱自在に設けられ、優先的に再生される記憶媒体を支持する再生優先支持部を有すると共に、該支持部の位置を標示する優先位置標示手段と、を備え、
前記優先位置検出手段は、前記優先位置標示手段を検出することによって優先的に再生される記憶媒体の記憶媒体収納部のアドレスを検出することを特徴とする記憶媒体チェンジャー装置。
【請求項２】
前記所定の操作に基づいて、記憶媒体が支持されていない一の支持部を記憶媒体装着可能位置に移動させるため、記憶媒体収納部を駆動する収納部駆動手段を備え、
前記優先位置検出手段は、前記収納部駆動手段によって記憶媒体装着可能位置に移動された支持部のアドレスを検出することを特徴とする請求項１に記載の記憶媒体チェンジャー装置。
【請求項３】
複数の記憶媒体をそれぞれ支持する複数の支持部を有し、該支持部に支持された状態で複数の記憶媒体を収納する記憶媒体収納部と、該記憶媒体収納部に収納された複数の記憶媒体の中から指定された記憶媒体を所定の再生位置に移動させる移動手段と、前記再生位置に移動させられた記憶媒体に記憶されたデータを再生する再生手段とを備える記憶媒体チェンジャー装置であって、
所定の操作に基づいて、優先的に再生される記憶媒体の支持部のアドレスを検出する優先位置検出手段と、
前記優先位置検出手段で検出された前記支持部のアドレスを記憶するメモリ手段と、
前記メモリ手段に記憶されたアドレスに基づいて再生制御を行う制御手段と、を備え、
前記記憶媒体収納部に、複数の記憶媒体を立てた状態に支持する前記支持部としての第一の溝を複数備えたトレイが備えられ、
前記トレイの各第一の溝には、優先的に再生される記憶媒体を支持する再生優先支持部としての第二の溝を備えた優先トレイが着脱自在に設置可能とされ、
該優先トレイに前記再生優先支持部の位置を標示する優先位置標示手段が設けられ、
前記トレイの任意の第一の溝に前記優先トレイを設置した際に、前記優先トレイが設置された前記第一の溝に第二の溝がほぼ重なるように配置され、優先的に再生される記憶媒体が前記第二の溝を介して前記第一の溝に支持されていることを特徴とする記憶媒体チェンジャー装置。
【請求項４】
前記トレイの複数の第一の溝が互いに近接して並んだ状態に配置され、
前記優先トレイは、第一の溝と着脱自在に嵌合するとともに、該第一の溝に嵌合した部分に第二の溝を有することにより、嵌合した前記第一の溝にほぼ重ねて前記第二の溝を配置する嵌合部と、
該嵌合部の周囲に設けられ、前記第一の溝とほぼ重なった前記第二の溝の周囲に並んで配置された第一の溝の少なくとも一部を覆って、前記第二の溝の周囲に配置される第一の溝への記憶媒体の挿入を阻止する阻止部と、
を備えることを特徴とする請求項３に記載の記憶媒体チェンジャー装置。
【請求項５】
前記トレイの任意の第一の溝に前記優先トレイを設置した際に、前記優先位置標示手段が、前記トレイの底面の任意の第一の溝に対応する位置から突出するように形成され、
優先位置検出手段が前記トレイの底面から突出する前記優先位置標示手段の位置を検出することを特徴とする請求項３又は４に記載の記憶媒体チェンジャー装置。
【請求項６】
複数の記憶媒体をそれぞれ支持する複数の支持部を有し、該支持部に支持された状態で複数の記憶媒体を収納する記憶媒体収納部と、該記憶媒体収納部に収納された複数の記憶媒体の中から指定された記憶媒体を所定の再生位置に移動させる移動手段と、前記再生位置に移動させられた記憶媒体に記憶されたデータを再生する再生手段とを備える記憶媒体チェンジャー装置であって、
所定の操作に基づいて、優先的に再生される記憶媒体の支持部のアドレスを検出する優先位置検出手段と、
前記優先位置検出手段で検出された前記支持部のアドレスを記憶するメモリ手段と、
前記メモリ手段に記憶されたアドレスに基づいて再生制御を行う制御手段と、
前記所定の操作に基づいて、記憶媒体が支持されていない一の支持部を記憶媒体装着可能位置に移動させるため、記憶媒体収納部を駆動する収納部駆動手段と、を備え、
前記優先位置検出手段は、前記収納部駆動手段によって記憶媒体装着可能位置に移動された支持部のアドレスを検出し、
記憶媒体装着可能位置に移動された支持部を識別標示する標示手段を更に備えることを特徴とする記憶媒体チェンジャー装置。
【請求項７】
記憶媒体装着可能位置に移動される、記憶媒体が支持されていない一の支持部は、記憶媒体装着可能位置に最も近い支持部であるように選択制御されることを特徴とする請求項２又は６に記載の記憶媒体チェンジャー装置。
【発明の詳細な説明】
【０００１】
【発明の属する技術分野】
本発明は、記憶媒体チェンジャー装置に関する。
【０００２】
【従来の技術】
近時、ＣＤ（Compact Disc）、ＭＤ（Mini Disc）、ＤＶＤ（Digital Versatile Disc）等のデータ記憶用のディスク状記憶媒体（以下、ディスクという）を複数枚収納し、これら収納された複数枚のディスクの中から特定のディスクを抜き出して再生するディスクチェンジャー装置が広く利用されている。
【０００３】
この種のディスクチェンジャー装置において、ディスクの収納形式は様々あり、例えば、回転自在のトレイ上にディスク収納装置として、半径方向に延びる複数の溝（以下、ストッカという）を形成し、このストッカにディスクを立脚させることによってディスクを保持して収納する回転式ドーナツ型ディスクトレイ（以下、ロータリートレイという）が利用されている。また、複数段設けられた保持棚に各ディスクの記憶面が平行になるように積層状に載置するエレベータ式ディスクトレイも利用されている。
【０００４】
ロータリートレイを有するディスクチェンジャー装置において、ディスクを交換する際は、このディスクチェンジャー装置の前面に設けられる前倒し式、あるいは、引き違い式に開閉されるディスク交換扉を介して行われる。また、ディスクチェンジャー装置には、ロータリートレイを回転させるために、ユーザにより操作されるジョグダイヤル等の操作子が備えられている。
【０００５】
また、この種のディスクチェンジャー装置には、ロータリートレイ上の各ストッカに夫々ディスクが収納されているか否かを検出するためのセンサ群が設けられている。このセンサ群によってロータリートレイ上のいずれの位置（アドレス）にディスクが収納されているかを検出し、その検出データであるディスク有無データがディスクチェンジャー装置に内蔵されたマイクロコンピュータによって記憶され、管理されている。このセンサ群によるディスクの有無検出動作は、一般に、ディスク交換がなされた後、即ち、ディスク交換扉が閉じられた際に行われ、その都度、マイクロコンピュータ内のディスク有無データが更新される。
【０００６】
以上のような従来のディスク交換可能なディスクチェンジャー装置において、ディスクを再生する際は、ロータリートレイを回転させるモータによって、指定されたディスクが所定の再生位置に対向するようにロータリートレイが回転され、ディスクアームによってそのディスクがクランプされ、上記再生位置に搬送される。再生位置には、ディスクを回転するモータやディスクに記憶された情報を読み取るピックアップユニット等のディスク再生装置がディスクの記憶面に対向するように設けられており、再生動作中は、サーボコントローラによってモータの回転及びピックアップの位置が制御され、記憶面の所定の情報読み取り位置にピックアップが移動されて、記憶された情報が読み取られ、再生される。
【０００７】
図１３及び図１４に従来のロータリートレイ２１におけるディスクＤのアドレス検出の概要を示す。まず、ストッカ上のディスクＤの有無が、発光ダイオード２４ｄとフォトトランジスタ２４ｔとによって検出される。また、ロータリートレイ２１の底面側の予め定められた半径上に位置し、かつ、ディスクＤが載置される位置に対応して突起Ａが形成されている。突起Ａの外周側には突起Ｂが、例えば、突起Ａの２０個間隔毎に突起数が＋１されており、突起Ａ，Ｂと、ロータリートレイ２１の底面に対向して配置された基板２５に設置されたフォトカプラ２４Ａ，２４ＢとによってディスクＤのアドレス管理ができるようになっている。
【０００８】
一方、多くのディスクＤが収納できるため、あるディスクＤを入れてすぐにそのディスクＤを再生したい時には、ディスクＤを選択するのが困難である。そこで、入れたディスクＤをすぐに再生したいときは、ロータリートレイ２１上に特別なストッカ（以下、＋１ストッカという）を設けるとともに、＋１ストッカ用の＋１再生キーを設け、該＋１再生キーをＯＮにすると＋１ストッカのディスクＤの再生を優先的に行うことができるようにしていた。この＋１ストッカは、隣接するストッカとの間隔が他のストッカ同士の間隔に比べて大きくされており、ディスクＤの出し入れがしやすい構造とされている。
【０００９】
【発明が解決しようとする課題】
ところで、すぐに再生したいディスクをディスクチェンジャー装置内に入れる際には、上述のように＋１ストッカにディスクを載置する必要があるが、ディスク交換扉を開けた際に、＋１ストッカがディスクの出し入れ口付近にない場合には、ロータリートレイを回転させて＋１ストッカを出し入れ口まで移動させなければならなかった。
【００１０】
そこで、本発明の課題は、ロータリートレイ上の任意のストッカを上述の＋１ストッカにすることができるディスクチェンジャー装置を提供することである。
【００１１】
【課題を解決するための手段】
以上の課題を解決するため、請求項１記載の発明は、複数の記憶媒体をそれぞれ支持する複数の支持部を有し、該支持部に支持された状態で複数の記憶媒体を収納する記憶媒体収納部と、該記憶媒体収納部に収納された複数の記憶媒体の中から指定された記憶媒体を所定の再生位置に移動させる移動手段と、前記再生位置に移動させられた記憶媒体に記憶されたデータを再生する再生手段とを備える記憶媒体チェンジャー装置であって、所定の操作に基づいて、優先的に再生される記憶媒体の支持部のアドレスを検出する優先位置検出手段と、前記優先位置検出手段で検出された前記支持部のアドレスを記憶するメモリ手段と、前記メモリ手段に記憶されたアドレスに基づいて再生制御を行う制御手段と、前記記憶媒体収納部の支持部に対して着脱自在に設けられ、優先的に再生される記憶媒体を支持する再生優先支持部を有すると共に、該支持部の位置を標示する優先位置標示手段と、を備え、前記優先位置検出手段は、前記優先位置標示手段を検出することによって優先的に再生される記憶媒体の記憶媒体収納部のアドレスを検出することを特徴とする。
【００１３】
請求項２記載の発明は、前記所定の操作に基づいて、記憶媒体が支持されていない一の支持部を記憶媒体装着可能位置に移動させるため、記憶媒体収納部を駆動する収納部駆動手段を備え、前記優先位置検出手段は、前記収納部駆動手段によって記憶媒体装着可能位置に移動された支持部のアドレスを検出することを特徴とする。
【００１４】
請求項３記載の発明は、複数の記憶媒体をそれぞれ支持する複数の支持部を有し、該支持部に支持された状態で複数の記憶媒体を収納する記憶媒体収納部と、該記憶媒体収納部に収納された複数の記憶媒体の中から指定された記憶媒体を所定の再生位置に移動させる移動手段と、前記再生位置に移動させられた記憶媒体に記憶されたデータを再生する再生手段とを備える記憶媒体チェンジャー装置であって、所定の操作に基づいて、優先的に再生される記憶媒体の支持部のアドレスを検出する優先位置検出手段と、前記優先位置検出手段で検出された前記支持部のアドレスを記憶するメモリ手段と、前記メモリ手段に記憶されたアドレスに基づいて再生制御を行う制御手段と、を備え、前記記憶媒体収納部に、複数の記憶媒体を立てた状態に支持する前記支持部としての第一の溝を複数備えたトレイが備えられ、前記トレイの各第一の溝には、優先的に再生される記憶媒体を支持する再生優先支持部としての第二の溝を備えた優先トレイが着脱自在に設置可能とされ、該優先トレイに前記再生優先支持部の位置を標示する優先位置標示手段が設けられ、前記トレイの任意の第一の溝に前記優先トレイを設置した際に、前記優先トレイが設置された前記第一の溝に第二の溝がほぼ重なるように配置され、優先的に再生される記憶媒体が前記第二の溝を介して前記第一の溝に支持されていることを特徴とする。
【００１５】
請求項４記載の発明は、前記トレイの複数の第一の溝が互いに近接して並んだ状態に配置され、前記優先トレイは、第一の溝と着脱自在に嵌合するとともに、該第一の溝に嵌合した部分に第二の溝を有することにより、嵌合した前記第一の溝にほぼ重ねて前記第二の溝を配置する嵌合部と、該嵌合部の周囲に設けられ、前記第一の溝とほぼ重なった前記第二の溝の周囲に並んで配置された第一の溝の少なくとも一部を覆って、前記第二の溝の周囲に配置される第一の溝への記憶媒体の挿入を阻止する阻止部と、を備えることを特徴とする。
【００１６】
請求項５記載の発明は、前記トレイの任意の第一の溝に前記優先トレイを設置した際に、前記優先位置標示手段が、前記トレイの底面の任意の第一の溝に対応する位置から突出するように形成され、優先位置検出手段が前記トレイの底面から突出する前記優先位置標示手段の位置を検出することを特徴とする。
【００１７】
請求項６記載の発明は、複数の記憶媒体をそれぞれ支持する複数の支持部を有し、該支持部に支持された状態で複数の記憶媒体を収納する記憶媒体収納部と、該記憶媒体収納部に収納された複数の記憶媒体の中から指定された記憶媒体を所定の再生位置に移動させる移動手段と、前記再生位置に移動させられた記憶媒体に記憶されたデータを再生する再生手段とを備える記憶媒体チェンジャー装置であって、所定の操作に基づいて、優先的に再生される記憶媒体の支持部のアドレスを検出する優先位置検出手段と、前記優先位置検出手段で検出された前記支持部のアドレスを記憶するメモリ手段と、前記メモリ手段に記憶されたアドレスに基づいて再生制御を行う制御手段と、前記所定の操作に基づいて、記憶媒体が支持されていない一の支持部を記憶媒体装着可能位置に移動させるため、記憶媒体収納部を駆動する収納部駆動手段と、を備え、前記優先位置検出手段は、前記収納部駆動手段によって記憶媒体装着可能位置に移動された支持部のアドレスを検出し、記憶媒体装着可能位置に移動された支持部を識別標示する標示手段を更に備えることを特徴とする。
【００１８】
請求項７記載の発明は、記憶媒体装着可能位置に移動される、記憶媒体が支持されていない一の支持部は、記憶媒体装着可能位置に最も近い支持部であるように選択制御されることを特徴とする。
【００１９】
【発明の実施の形態】
以下、図面を参照して本発明の実施の形態の記憶媒体チェンジャー装置１（以下、ディスクチェンジャー装置1という）について詳細に説明する。なお、上述した従来のディスクチェンジャー装置1の構成部品と構成が同様のものには同一符号を付して説明する。
【００２０】
〔第一の実施の形態〕
ディスクチェンジャー装置１は、図１に示すように、前面の操作パネル１１に操作部１２、表示部１３、及びディスク交換扉１４を備え、その本体内部には、例えば、最大２００枚の記憶媒体Ｄ（以下、ディスクＤという）の収納が可能なディスク収納部２（図２参照）が備えられている。
【００２１】
操作部１２は、ディスク交換扉１４の開閉を操作するオープンキー及びクローズキー、或いはディスクＤの再生や停止等を操作するプレイキー、ストップキー、サーチキー、後述する優先トレイ２６上のディスクＤを再生するための＋１再生キー、ディスクＤのアドレス番号を入力する際に操作される数値キー等の各種操作キー群を備えており、押下されたキーの押下信号を後述するマイクロコンピュータ３（図６参照）へ出力する。
【００２２】
表示部１３は、ＬＣＤ等により構成され、マイクロコンピュータ３から出力される各種表示データを表示する。例えば、後述するロータリートレイ２１（図２参照）の回転動作の動作モード（回転移動中、ディスク検索中等）、ディスク交換扉１４の開閉状態、再生中のディスクＤのアドレス番号や再生中の曲のトラック番号等の表示、ディスクＤの有無表示、またはディスクＤの誤収納の報知表示等を行う。
【００２３】
ディスク交換扉１４は、前方（外方）に倒れる前倒し式扉、或いは左右に引き違い式に開閉される引き違い式扉等の開閉自在の扉であり、扉を開いた状態で本体前面の一部が開口して内部のロータリートレイ２１が露出するようになっている。ディスク交換扉１４を開放した状態でロータリートレイ２１に対するディスクＤの交換作業を行うことができる。このディスク交換扉１４は扉開閉モータ３９（図６参照）によって駆動されるものであり、扉開閉モータ３９はマイクロコンピュータ３（図６参照）から供給される開閉制御信号に応じて動作する。
【００２４】
ディスク収納部２は、図２に示すように、ディスクチェンジャー装置１に内設されている。ディスク収納部２は、ロータリートレイ２１、ロータリートレイモータ２２、ディスクアーム２３、センサ群２４Ａ，２４Ｂ，２４Ｃ，２４Ｅが基板２５上に配設されたものであり、各部は図６に示すマイクロコンピュータ３、またはこれらを駆動制御する各ドライバ３３，３４，３５に接続される。
【００２５】
ロータリートレイ２１は、図３に示すように、中心から半径方向に伸びる複数の支持部としてのストッカ２１ａ（溝）の形成された回転盤上に、このストッカ２１ａに合わせてディスクＤを立脚させることによってディスクＤを保持して収納するものであり、基板２５中央部上に装着される。また、ロータリートレイ２１は、このストッカ２１ａの全てにディスクＤを保持させると、例えば２００枚のディスクＤを収納することが可能である。
【００２６】
また、ロータリートレイ２１には、図３に示すように、優先トレイ２６が備えられている。優先トレイ２６は、例えば、ストッカ２１ａ７個分を被覆する程度の大きさの板材であり、上面側はディスクＤを１枚だけ載置することが可能な再生優先支持部としての＋１ストッカ２６ａ（第二の溝）が形成されている。優先トレイ２６の底面側は、ロータリートレイ２１のストッカ２１ａと嵌合するよう凹凸に形成された状態とされており、ストッカ２１ａにほぼ重なって＋１ストッカ２６ａが配置されることで、嵌合部が形成されている。また、優先トレイ２６は、＋１ストッカ２６ａの左右の板材が＋１ストッカ２６ａの周囲に並んで配置されたストッカ２１ａの少なくとも一部を覆い、阻止部を形成している。この阻止部により、＋１ストッカ２６ａの近傍のストッカ２１ａへのディスクＤの載置が阻止される。
【００２７】
また、＋１ストッカ２６ａの底部には、ロータリートレイ２１と嵌合させた際に、ストッカ２１ａを貫通し、ロータリートレイ２１の底面側に突出する優先位置標示手段としての突起Ｅが形成されている。優先トレイ２６は、ロータリートレイ２１上に着脱自在とされており、ロータリートレイ２１上のストッカ２１ａに嵌合されることで設置される。なお、優先トレイ２６は、ロータリートレイ２１の底面側において、突起Ｅが突起Ａの位置より外周側、かつ、突起Ｂの位置より内周側の半径上に位置するように設置される。
【００２８】
なお、優先トレイ２６の設置位置は任意であり、優先して再生したいディスクＤがあれば、優先トレイ２６をディスク交換扉１４を開けた時のロータリートレイ２１の露出部分に設置し、優先トレイ２６上の＋１ストッカ２６ａに再生したいディスクＤを載置すればよい。また、優先して再生したいディスクＤがなければ、優先トレイ２６をロータリートレイ２１上に設置する必要はない。その時は、ロータリートレイ２１上のストッカ２１ａをフルに利用できるため、２００枚のディスクＤを収納することができる。
【００２９】
ロータリートレイ２１は、ロータリートレイモータ２２による動力により、回転動作を行う。ロータリートレイモータ２２は、ロータリートレイ制御モータドライバ３４（図６参照）から出力される駆動制御信号に応じてロータリートレイ２１を回転駆動し、ロータリートレイ２１上の優先トレイ２６を正確な搬送位置に搬送する。
【００３０】
ディスクアーム２３は、ディスクアーム制御モータドライバ３５（図６参照）から出力される制御信号に応じて、選択されたディスクＤをロータリートレイ２１から一枚抜き出し、このディスクＤを再生位置にセットする。また、再生動作が終了すると、ディスクＤは再びロータリートレイ２１の元のストッカ２１ａに収納される。ここで、優先トレイ２６上のディスクＤを再生したいときは、＋１再生キーが押されることによって出力された制御信号に応じて、優先的に再生するディスクＤを優先トレイ２６から抜き出し、このディスクＤを再生位置にセットする。また、再生動作が終了すると、ディスクＤは再び優先トレイ２６の元の＋１ストッカ２６ａに収納される。
【００３１】
また、基板２５上には、従来と同様に、ロータリートレイ２１の半径方向に突起Ａによって遮光される第１フォトカプラ２４Ａと、突起Ｂによって遮光される第２フォトカプラ２４Ｂとが備えられている。さらに、突起Ｅによって遮光される優先位置検出手段としての第４フォトカプラ２４Ｅが備えられている。また、図４に示すように、ロータリートレイ２１の上方であってディスクＤの直径以上離れた位置にセンサ支持板２４が設けられ、このセンサ支持板２４には優先トレイ２６に載置されたディスクＤによって遮光される位置に発光ダイオード２４ｄが設けられている。また、発光ダイオード２４ｄに対向する位置にフォトトランジスタ２４ｔが設けられており、発光ダイオード２４ｄとフォトトランジスタ２４ｔとは第３フォトカプラ２４Ｃを構成している。
【００３２】
ロータリートレイ２１には，図４及び図５に示すように、ロータリートレイ２１の底面側の予め定められた半径上に位置し、かつ各ディスクＤが載置される位置に対応して突起Ａが形成してあり、更にロータリートレイ２１の底面側であって突起Ａが設けられている半径より外周側の予め定められた半径上に位置するように突起Ｂが形成してある。突起Ｂは突起Ａの、例えば２０個間隔毎に形成してあり、さらに突起Ａの２０個間隔毎に突起数が＋１されて、互いに識別可能に形成されている。突起Ｅは、上述のように、優先トレイ２６の一部がストッカ２１ａを貫通してロータリートレイ２１の底面側に突出することで形成され、ロータリートレイ２１の底面側に１つだけ備えられることになる。
【００３３】
具体的には、例えば、ロータリートレイ２１上に２００枚のディスクＤが載置可能に構成されているときは、突起Ａの数は２００個であり、突起Ｂ０（突起数１個）、突起Ｂ０を挟んでその半時計方向側位置に突起Ｂ１（突起数２個）、突起Ｂ０を挟んでその時計方向側位置に突起Ｂ９（突起数１０個）、突起Ｂ１の半時計方向側位置に突起Ｂ２（突起数３個）、突起Ｂ９の時計方向側位置に突起Ｂ８（突起数９個）、…のように形成されている。ここで、突起Ｂの語は、各突起Ｂ０，Ｂ１，…，Ｂ９の夫々または総称として使用する。
【００３４】
突起Ｂ０と突起Ｂ１との間には２０個の突起Ａが形成され、各ストッカ２１ａのアドレス番号として、突起Ｂ０側から突起Ｂ１側へアドレス番号１〜２０の番号が付番され、突起Ｂ１と突起Ｂ２との間には２０個の突起Ａが形成されて各ストッカ２１ａのアドレス番号として、突起Ｂ１側から突起Ｂ２側へアドレス番号２１〜４０の番号が付番され、同様にして、各突起Ａの位置、即ち、各ストッカ２１ａにアドレス番号４１〜２００が夫々付番される。したがって、突起Ｅのアドレスは、その内周側と外周側に存在する突起Ａ，Ｂによって定まることとなる。
【００３５】
ロータリートレイ２１の回転駆動により、優先トレイ２６上の＋１ストッカ２６ａに載置されたディスクＤは、第４フォトカプラ２４Ｅによって突起Ｅが検出され、その時の第１及び第２のフォトカプラ２４Ａ、２４Ｂの出力の協働によって、＋１ストッカ２６ａのアドレス番号が検出される。また、＋１ストッカ２６ａにディスクＤが載置されているときは、発光ダイオード２４ｄの光がディスクＤによって遮られ、第３フォトカプラ２４ＣによってディスクＤが載置されていること（ディスク有）が検出される。
【００３６】
これらセンサ群２４Ａ，２４Ｂ，２４Ｃ，２４Ｅによって検出されたアドレス番号と、そのアドレス番号に対応するディスクＤの有無検出データは、マイクロコンピュータ３のメモリ手段、例えば、ＲＡＭ等に格納される。また、このディスク有無検出動作は、ディスクＤを交換した際、すなわち、電源投入時やディスク交換扉１４の開閉時になされる。また、ディスクＤの再生時には、ＲＡＭ等のメモリに記憶したアドレス番号によって、何れのディスクＤを再生位置に搬送し、再生するかをマイクロコンピュータ３の制御手段が指定できる。
【００３７】
図６は、ディスクチェンジャー装置１の内部回路を示す概略ブロック図である。
図６に示すように、ディスクチェンジャー装置１は、マイクロコンピュータ３、操作部１２、表示部１３、センサ群２４Ａ，２４Ｂ，２４Ｃ，２４Ｅ、扉開閉モータ３９を駆動制御する扉開閉モータドライバ３３、ロータリートレイモータ２２を駆動制御するロータリートレイ制御モータドライバ３４、ディスクアーム２３を駆動制御するディスクアーム制御モータドライバ３５、ディスクＤの再生系であるＤＳＰ３６及びピックアップユニット３７によって構成される。
【００３８】
マイクロコンピュータ３は、操作部１２から入力される操作信号に従って、当該ディスクチェンジャー装置１の各部の動作を制御し、処理結果をＲＡＭ等のメモリ（図示しない）に記憶するとともに、表示部１３に表示させる。マイクロコンピュータ３の制御対象には、ロータリートレイ２１の回転動作、ディスク交換扉１４の開閉動作、ディスクアーム２３のディスク搬送動作、ディスクＤの再生動作、センサ群２４Ａ，２４Ｂ，２４Ｃ，２４ＥによるディスクＤのアドレス検出動作、ディスクＤの有無検出動作、表示部１３の駆動の通信動作等が含まれる。
【００３９】
また、マイクロコンピュータ３は、電源投入時、またはディスク交換扉１４を閉じた際に、センサ群２４Ａ，２４Ｂ，２４Ｃにアドレス検出及びロータリートレイ２１上のディスクＤの有無検出を行わせ、センサ群２４Ａ，２４Ｂ，２４Ｃから入力される各検出信号に基づき、アドレス番号と、そのアドレス番号に対応するディスク有無データとを、マイクロコンピュータ３内のＲＡＭ等のメモリに記憶する。
【００４０】
ここで、優先トレイ２６をロータリートレイ２１上に設置したときは、マイクロコンピュータ３は、上記動作のほかに、第４フォトカプラ２４Ｅによって＋１ストッカ２６ａを認識し、第３フォトカプラ２４Ｃによって＋１ストッカ２６ａ上のディスクＤの有無の検出を行い、第１フォトカプラ２４Ａ、第２フォトカプラ２４Ｂにアドレス検出を行わせ、センサ群２４Ａ，２４Ｂ，２４Ｃ，２４Ｅから入力される各検出信号に基づき、アドレス番号と、そのアドレス番号に対応するディスク有無データとを、マイクロコンピュータ３内のＲＡＭ等のメモリに記憶する。
【００４１】
また、ディスクチェンジャー装置１は、図示しない外部インターフェイスを介してパーソナルコンピュータ等の外部機器や、外部記憶装置と接続することも可能である。パーソナルコンピュータに接続された場合は、パーソナルコンピュータに対してディスクＤの再生データやインデックスデータ、または各ディスクＤのアドレス番号データ等を送信し、パーソナルコンピュータにてこれらのデータを管理したり、また、パーソナルコンピュータにて管理しているデータをディスクチェンジャー装置１にダウンロードしたり、パーソナルコンピュータ側の操作によってディスクチェンジャー装置１の再生動作等を遠隔制御したりできる。
【００４２】
また、外部記憶装置と接続する場合には、マイクロコンピュータ３は、ディスクＤの再生データを接続された外部記憶装置に出力し、この外部記憶装置の備える所定の記憶媒体に記憶させることができる。
【００４３】
扉開閉モータドライバ３３は、マイクロコンピュータ３から出力される開閉制御信号に基づいて、扉開閉モータ３９を駆動し、ディスクチェンジャー装置１の操作パネル１１に設けられるディスク交換扉１４の開閉を行う。
【００４４】
ロータリートレイ制御モータドライバ３４は、マイクロコンピュータ３から出力される駆動制御信号に基づいて、ロータリートレイモータ２２を駆動し、ロータリートレイ２１の回転動作を行う。
【００４５】
ディスクアーム制御モータドライバ３５は、マイクロコンピュータ３から出力された制御信号に基づいてディスクアーム２３を駆動し、ディスクアーム２３によるディスクＤのクランプ、及び再生位置へのディスクＤの搬送といった動作を行う。
【００４６】
ＤＳＰ（Digital Signal Processor）３６は、後述するピックアップユニット３７から出力される符号化デジタルデータを、ディスクＤの記憶方式に対応した復号化方式で復号し、マイクロコンピュータ３が処理可能なデータ形式に変換してマイクロコンピュータ３に出力する。
【００４７】
ピックアップユニット３７は、再生位置にセットされたディスクＤに記憶された符号化デジタルデータを読み取り、ＤＳＰ３６に出力する。
【００４８】
次に、ディスクチェンジャー装置１の動作について説明する。
図７は、ロータリートレイ２１の所定の場所に優先トレイ２６を配置し、その＋１ストッカ２６ａにディスクＤが載置され、優先的に再生される場合の処理を説明するフローチャートである。
【００４９】
優先的に再生したいディスクＤがある場合は、ディスクチェンジャー装置１の操作部１２から、ディスク交換扉１４の開放指示が入力され、マイクロコンピュータ３は操作に応じて、扉開閉モータドライバ３３に開放制御信号を出力してディスク交換扉１４を開放させる（ステップＳ１）。
【００５０】
ここで、ユーザによってディスクＤの出し入れ口付近のロータリートレイ２１上に優先トレイ２６を設置できるスペース（例えば、少なくとも連続した７個分のストッカ２１ａ）があるか否かが確認される（ステップＳ２）。この時、優先トレイ２６の設置スペースが確保できなければ、ストッカ２１ａ上に載置されているディスクＤを取り出すか、ディスクＤを別のストッカ２１ａ上に移動させる（ステップＳ３）。
【００５１】
優先トレイ２６を設置できるスペースが確保されると、ユーザは優先トレイ２６の底面側をロータリートレイ２１の上面側のストッカ２１ａに噛み合わせるようにして設置する（ステップＳ４）。そして、優先トレイ２６の設置後は、優先トレイ２６の＋１ストッカ２６ａにディスクＤを載置する（ステップＳ５）。
【００５２】
その後、ディスクチェンジャー装置１の操作部１２から、ディスク交換扉１４の閉鎖指示が入力されると、マイクロコンピュータ３は扉開閉モータドライバ３３に開閉制御信号を供給してディスク交換扉１４を閉じさせる（ステップＳ６）。その後、マイクロコンピュータ３はセンサ群２４Ａ，２４Ｂ，２４Ｃ，２４Ｅにストッカ２１ａ及び＋１ストッカ２６ａ上のディスクＤの有無及びアドレス検出動作を行わせる。
【００５３】
ここで、優先トレイ２６上のディスクＤの有無及びアドレス検出動作において、マイクロコンピュータ３は、ロータリートレイ制御モータドライバ３４によってロータリートレイモータ２２を駆動してロータリートレイ２１を回転させるとともに、センサ群２４Ａ，２４Ｂ，２４Ｃ，２４Ｅを駆動させる。その際、第４フォトカプラ２４Ｅが優先トレイ２６の突起Ｅを検出するまでロータリートレイ２１は回転する。突起Ｅが検出されると、＋１ストッカ２６ａにおけるディスクＤの有無が第３フォトカプラ２４Ｃによって検出され、さらに、第１及び第２のフォトカプラ２４Ａ，２４Ｂによって、＋１ストッカ２６ａのアドレスを検出し、データを取得する（ステップＳ７）。
【００５４】
その後、再生動作において、優先トレイ２６上のディスクＤを再生するには、操作部１２に備えられた＋１再生キーを押す（ステップＳ８）。マイクロコンピュータ３は、ロータリートレイ制御モータドライバ３４に搬送制御信号を供給し、優先的に再生するディスクＤの収納位置がディスクアーム２３に対向する位置にくるようにロータリートレイ２１を回転移動させる。
【００５５】
また、優先トレイ２６上のディスクＤの収納位置がディスクアーム２３に対向する位置に回転されると、ディスクアーム制御信号をディスクアーム制御モータドライバ３５に供給し、ディスクアーム２３によって、その位置に収納されたディスクＤをクランプさせ、所定の再生位置へ搬送させる。その後、ピックアップユニット３７によってディスクＤに記憶されたデータを読み取らせ、ＤＳＰ３６によってそのデータを復号再生させる（ステップＳ９）。
【００５６】
したがって、本実施の形態によれば、優先トレイ２６をロータリートレイ２１上のどこにでも自由に設置できるので、優先トレイ２６の設置位置をロータリートレイ２１上のディスクＤの載置されていない場所やディスク交換扉１４付近等の設置が容易な場所に指定することが可能となる。これにより、従来のようにディスク交換扉１４を開けた際に、優先トレイ２６を探す手間を省くことができる。また、優先トレイ２６は、取り外しが可能であるため、優先的に再生したいものがなければ優先トレイ２６を外すことにより、ディスクＤをロータリートレイ２１の許容枚数いっぱいに収納することができる。
【００５７】
また、優先トレイ２６に突起Ｅ、基板３５上に第４フォトカプラ２４Ｅが備えられているので、ロータリートレイ２１を回転させることで優先トレイ２６がどこにあるかを検出することができる。また、ディスク交換扉１４が閉じられたときには、ロータリートレイ２１を回転させて突起Ｅを検出し、優先トレイ２６に収納されたディスクＤを再生することができるため、優先的にそのディスクＤを再生することができる。
【００５８】
さらに、ディスクチェンジャー装置１は、従来のディスクチェンジャー装置に備えられた突起Ａ，Ｂ、第１及び第２フォトカプラ２４Ａ，２４Ｂと同様の構成を有する突起Ｅ、第４フォトカプラ２４Ｅを付加するだけの簡単な構成であるため、大幅な改造等を必要とせず、製造コストを低減することができる。
なお、本発明は、上記実施の形態に限定されるものではない。例えば、ディスクチェンジャー装置の操作は、手入力ではなく、リモートセンサ等を用いた遠隔操作も可能である。
【００５９】
〔第二の実施の形態〕
次に、第二の実施の形態について説明する。
なお、上述の第一の実施の形態と同様の構成に関しては、同一符号を付して説明を省略し、特徴のある部分について述べる。
この例での実施の形態は、第一の実施の形態と同様のディスクチェンジャー装置１に、ディスクＤが載置されていないロータリートレイ２１上のストッカ２１ａのうちの一つを＋１ストッカ２６ａに選定する優先モード機能と、選定された＋１ストッカ２６ａをディスクＤの出し入れ口の中央（図８参照）に移動させるためのトレイ駆動機能とが備えられたものである。
【００６０】
優先モード機能の指示は、操作部１２に備えられた優先モードスイッチ（図示しない）を押すことで優先モードに切り替わるようになっている。優先モードスイッチが押されると、図６に示すマイクロコンピュータ３によって、ディスクＤが載置されていないストッカ２１ａのうちの一つを＋１ストッカ２６ａに選定する。なお、第一の実施の形態で述べたように、各ストッカ２１ａの各アドレスごとにディスクＤの有無が検出され、ＲＡＭ等のメモリに記憶されている。その際、＋１ストッカ２６ａは、記憶媒体装着可能位置であるディスクＤの出し入れ口の中央、あるいは、その中央位置に最も近く、かつ、ディスクＤが載置されていないストッカ２１ａが選定されるようになっている。すなわち、＋１ストッカ２６ａは、最初にディスクＤの出し入れ口の範囲内で空いたストッカ２１ａが検索され、ディスクＤの出し入れ口の中央、中央が空いていなければディスクＤの出し入れ口の範囲内で中央に最も近いストッカ２１ａ、ディスクＤの出し入れ口の範囲内が空いていなければディスクＤの出し入れ口に近いストッカ２１ａが検索されて選定されることとなる。
【００６１】
＋１ストッカ２６ａが選定されると、ロータリートレイ制御モータドライバ３４（図６参照）から出力される駆動制御信号に応じてロータリートレイ２１を回転駆動し、＋１ストッカ２６ａをディスクＤの出し入れ口の中央に移動する。
また、選定された＋１ストッカ２６ａのアドレスは、マイクロコンピュータ３のＲＡＭ等のメモリに格納される。
そして、ユーザがディスクＤを＋１ストッカ２６ａ上に載置し、＋１再生キーを押すと、優先的に＋１ストッカ２６ａ上のディスクＤが再生されることとなる。
【００６２】
また、図９及び図１０に示すように、＋１ストッカ２６ａの位置をユーザに明確に知らせるために、ディスクＤの出し入れ口上部の中央位置（＋１ストッカ２６ａが移動されてくる位置）には、標示手段としてのＬＥＤ２７が一つ備えられている。これにより、ユーザは、ディスクＤの出し入れ口に複数存在するストッカ２１ａのうち、どれが＋１ストッカ２６ａであるかを一目で認識することができる。
【００６３】
また、他の方法として、図９及び図１０に示すように、ストッカ２１ａごとにＬＥＤ２７を設置し、選定された＋１ストッカ２６ａのＬＥＤ２７のみが点滅もしくは点灯するようにしてもよい。なお、この場合には、ロータリートレイ２１上のストッカ２１ａの数だけＬＥＤ２７が必要となるが、＋１ストッカ２６ａの移動位置をディスクＤの出し入れ口の中央のみに限る必要はなく、ユーザが目視できる範囲内、すなわち、ディスクＤの出し入れ口の範囲内であればよい。これにより、＋１ストッカ２６ａがディスクＤの出し入れ口の範囲内にあれば、ロータリートレイ２１を駆動させる必要がなく、無駄な操作を省略することができる。
【００６４】
また、図１１及び図１２に示すように、ディスクＤの出し入れ口にディスク交換扉１４とは別の選定扉２８を設置し、上述のように、＋１ストッカ２６ａが選定されて＋１ストッカ２６ａがディスクＤの出し入れ口に移動してきた際に、＋１ストッカ２６ａ以外の部分を選定扉２８で覆い隠すようにしてもよい。これにより、ＬＥＤ２７と同様の効果を発揮することができる。また、ユーザが＋１ストッカ２６ａと間違えて、その近くのストッカ２１ａにディスクＤを載置するのを確実に防止できる。
【００６５】
したがって、本実施の形態によれば、ディスクチェンジャー装置１に優先モード機能及びトレイ駆動機能を備えることにより、ロータリートレイ２１上の空いた任意のストッカ２１ａを＋１ストッカ２６ａにすることができるため、ロータリートレイ２１以外に別途優先トレイ２６を設置する必要がなく、ユーザは指示された位置にディスクＤを載置するだけでよい。これにより、ユーザの操作を容易なものとすることができる。
【００６６】
【発明の効果】
本発明によれば、優先トレイをトレイ上のどこにでも自由に設定できるので、優先トレイの設定位置をトレイ上の記憶媒体の載置されていない場所やディスク交換扉付近等の設置が容易な場所に指定することが可能となる。これにより、従来のようにディスク交換、挿入作業の際に、優先トレイを探す手間を省くことができる。
また、優先トレイを取り外しが可能とした場合には、優先的に再生したい記憶媒体がなければ優先トレイを外すことにより、記憶媒体をトレイの許容枚数いっぱいに収納することができる。
また、優先トレイに優先位置標示手段、基板上に優先位置検出手段が備えられているので、トレイを回転させることで優先トレイがどこにあるかを検出することができる。また、ディスク交換扉が閉じられたときには、トレイを回転させて優先位置標示手段を検出し、優先トレイに収納された記憶媒体を再生することができるため、優先的にその記憶媒体を再生することができる。
さらに、本発明のディスクチェンジャー装置は、従来のディスクチェンジャー装置に備えられた優先位置標示手段及び優先位置検出手段と同様の構成を有する優先位置標示手段及び優先位置検出手段を付加する等の簡単な構成であるため、大幅な改造等を必要とせず、製造コストを低減することができる。
【図面の簡単な説明】
【図１】本発明の第一の実施の形態におけるディスクチェンジャー装置の全体構成を説明するための概略図である。
【図２】上記実施の形態におけるディスク収納部の概略構成を示す図である。
【図３】上記実施の形態における優先トレイの概略構成を示す図である。
【図４】上記実施の形態において、ロータリートレイに形成される突起及びセンサ群の配置を説明するための図である。
【図５】上記実施の形態において、ロータリートレイに形成される突起及びセンサ群の配置を説明するための図である。
【図６】上記実施の形態におけるディスクチェンジャー装置の内部回路を示す概略ブロック図である。
【図７】上記実施の形態において、ロータリートレイに優先トレイを設置し、優先トレイ上の＋１ストッカに載置されたディスクを優先的に再生する場合の処理を説明するためのフローチャートである。
【図８】本発明の第二の実施の形態におけるディスクチェンジャー装置の全体構成を説明するための概略図である。
【図９】上記実施の形態におけるディスクチェンジャー装置の全体構成を説明するための概略図である。
【図１０】上記実施の形態におけるディスク収納部の概略構成を示す図である。
【図１１】上記実施の形態におけるディスクチェンジャー装置の全体構成を説明するための概略図である。
【図１２】上記実施の形態におけるディスク収納部の概略構成を示す図である。
【図１３】従来例におけるロータリートレイに形成される突起及びセンサ群の配置を説明するための図である。
【図１４】従来例におけるロータリートレイに形成される突起及びセンサ群の配置を説明するための図である。
【符号の説明】
１        ディスクチェンジャー装置
２        ディスク収納部
２１      ロータリートレイ
２１ａ    ストッカ
２５      基板
２６      優先トレイ
２６ａ    ＋１ストッカ
２７      ＬＥＤ
Ｄ        ディスク
Ｅ        突起
２４Ｅ    第４フォトカプラ
【図１】
0003806638.tif 000002
【図２】
0003806638.tif 000003
【図３】
0003806638.tif 000004
【図４】
0003806638.tif 000005
【図５】
0003806638.tif 000006
【図６】
0003806638.tif 000007
【図７】
0003806638.tif 000008
【図８】
0003806638.tif 000009
【図９】
0003806638.tif 000010
【図１０】
0003806638.tif 000011
【図１１】
0003806638.tif 000012
【図１２】
0003806638.tif 000013
【図１３】
0003806638.tif 000014
【図１４】
0003806638.tif 000015